(57)【特許請求の範囲】
【請求項１】
左足が乗せ掛けられる左側指圧板と、右足が乗せ掛けられる右側指圧板と、これら左右の指圧板のそれぞれの内側端縁部同士を連結する連結機構とを有し、この連結機構が第１係合部材とこの第１係合部材に対して相対回転自在に連結された第２係合部材とを有しており、
上記第１係合部材が円形の軸受孔部を有し、第２係合部材が上記軸受孔部に相対回転自在に嵌合された凸部を有し、第１係合部材と第２係合部材とのうちの一方が左側指圧板の内側端縁部にその内側端縁部から突き出す姿勢で一体に連設され、かつ、他方が右側指圧板の内側端縁部にその内側端縁部から突き出す姿勢で一体に連設されており、
上記連結機構の第１係合部材と第２係合部材とが着脱可能であり、
上記第１係合部材が、互いに間隔を隔てて対向しかつ接近離反方向に弾性変形可能な上板部と下板部とを有し、上記第２係合部材が鍔板部とその鍔板部の中央部から突出された上記凸部とを有し、上記第１係合部材の上板部と下板部との間に差し込まれた上記第２係合部材の上記凸部が嵌合される上記軸受孔部が上記上板部と下板部とのうちの少なくとも一方側に具備されていると共に、その軸受孔部に上記凸部が嵌合されることによって、上記上板部と下板部とが上記第２係合部材の鍔部を上下方向で相対摺動自在に挟み付けるようになっていることを特徴とする足裏指圧具。
【発明の詳細な説明】
【０００１】
【発明の属する技術分野】
本発明は、足裏指圧具に関する。
【０００２】
【従来の技術】
従来の足裏指圧具としては、１枚の板状体に所要数の突起を設けたものが知られている。
【０００３】
【発明が解決しようとする課題】
このような足裏指圧具において、左の足裏と右の足裏とを同時に刺激することができるものであるためには、突起を有する上記板状体が左足と右足とを同時に乗せ掛けることのできる大きさを有し、左足を乗せ掛ける部分と右足を乗せ掛ける部分とにそれぞれ突起を設けておくことが必要である。また、足裏を効果的に刺激するためには、所謂足裏のつぼに上記突起がうまく当たるようになっていることが必要である。
【０００４】
しかしながら、従来のように、１枚の板状体に左足と右足とを同時に乗せ掛けるようになっているものでは、その板状体に設けられている左の足裏に対応する突起の位置と右の足裏に対応する突起の位置との相対位置が一定になっていて、それらの相対位置を変えることができない。そのため、使用者自身が左足と右足との開き度合を上記突起の位置に合わせることによって、突起が左右の足裏のつぼにうまく当たるようにすることを要し、その結果、楽な姿勢で足裏を効果的に刺激するという使い方をすることに不便があるという問題があった。
【０００５】
また、従来のように、突起を有する上記板状体が左足と右足とを同時に乗せ掛けることのできる大きさを有していると、その板状体の大きさが大きいために、持ち運びが不便であったり梱包が大きくなって保管が不便であったりするという問題があった。
【０００６】
本発明は以上の問題を改善するためになされたものである。すなわち、本発明は、誰でもが楽な姿勢で左右の足裏を効果的に同時に刺激するという使い方のできる足裏指圧具を提供することを目的とする。
【０００７】
また、本発明は、左右の足裏を同時に刺激することができるものでありながら、コンパクトな形にして持ち運びや保管をすることが可能になる足裏指圧具を提供することを目的とする。
【０００８】
【課題を解決するための手段】
本発明に係る足裏指圧具は、左足が乗せ掛けられる左側指圧板と、右足が乗せ掛けられる右側指圧板と、これら左右の指圧板のそれぞれの内側端縁部同士を連結する連結機構とを有し、この連結機構が第１係合部材とこの第１係合部材に対して相対回転自在に連結された第２係合部材とを有している。
【０００９】
この足裏指圧具は、指圧板が左側指圧板と右側指圧板との内側端縁部同士が、第１係合部材とこの第１係合部材に対して相対回転自在に連結された第２係合部材とを有する連結機構によって連結されているので、連結機構の作用によって、左側指圧板と右側指圧板との開き角度を変えることができる。そのため、使用者自身が左足と右足とを楽な開き度合となるように開いたときの開き角度に左側指圧板と右側指圧板との開き角度を合わせて使用することができ、そのようにすることによって、使用者にとっての楽な姿勢で足裏を効果的に刺激することができるようになる。
【００１０】
本発明では、上記第１係合部材が円形の軸受孔部を有し、第２係合部材が上記軸受孔部に相対回転自在に嵌合された凸部を有し、第１係合部材と第２係合部材とのうちの一方が左側指圧板の内側端縁部にその内側端縁部から突き出す姿勢で一体に連設され、かつ、他方が右側指圧板の内側端縁部にその内側端縁部から突き出す姿勢で一体に連設されている、という構成を採用することができる。これによれば、連結機構の第１係合部材と第２係合部材とのうちの一方を左側指圧板と一体に合成樹脂で成形することができ、他方を右側指圧板と一体に合成樹脂で成形することができるので、連結機構を左右の各指圧板と別体にすることによる部品点数の増大やコストアップを回避することが可能になる。
【００１１】
本発明では、上記連結機構の第１係合部材と第２係合部材とが着脱可能であることが望ましい。これによれば、連結機構の第１係合部材と第２係合部材とを離脱させることによって、左側指圧板と右側指圧板とをそれぞれ単独で使用することができるという利便性があるだけでなく、持ち運びや保管の際に、左側指圧板と右側指圧板とを重ねて全体の大きさをコンパクトにすることが可能になるという利便性があるほか、梱包をコンパクトにすることが可能になる。
【００１２】
連結機構の第１係合部材と第２係合部材とが着脱可能としたものでは、上記第１係合部材が、互いに間隔を隔てて対向しかつ接近離反方向に弾性変形可能な上板部と下板部とを有し、上記第２係合部材が鍔板部とその鍔板部の中央部から突出された上記凸部とを有し、上記第１係合部材の上板部と下板部との間に差し込まれた上記第２係合部材の上記凸部が嵌合される上記軸受孔部が上記上板部と下板部とのうちの少なくとも一方側に具備されていると共に、その軸受孔部に上記凸部が嵌合されることによって、上記上板部と下板部とが上記第２係合部材の鍔部を上下方向で相対摺動自在に挟み付けるようになっていることが望ましい。これによれば、連結機構の第１係合部材と第２係合部材とを連結した場合に、第１係合部材の上板部と下板部とが第２係合部材の鍔部を上下方向で相対摺動自在に挟み付けるので、その連結機構によって連結された左側指圧板と右側指圧板とががたつかない。そのため、左右の指圧板の開き角度を、使用者にとって楽な姿勢となる左右の足の開き角度にスムーズに合わせることが可能になる。
【００１３】
【発明の実施の形態】
図１は本発明の実施形態に係る足裏指圧具Ａの概略平面図、図２は図１のＩＩ−ＩＩ線に沿う部分の概略拡大断面図、図３は左右の指圧板１，２を重ね合わせた状態の概略側面図である。
【００１４】
図１のように、この足裏指圧具Ａは、左足が乗せ掛けられる左側指圧板１と、右足が乗せ掛けられる右側指圧板２とを有し、これら左右の指圧板１，２のそれぞれの内側端縁部１１，２１同士が連結機構３によって連結されている。
【００１５】
左側指圧板１の表面には、左足の形状を象った輪郭線１２が表示されていると共に、その輪郭線１２に合わせて左足を乗せ掛けたときに左の足裏の複数箇所に存在しているつぼに突き当たる多数の突起１３が備わっている。これと同様に、右側指圧板２の表面にも、左足の形状を象った輪郭線２２が表示されていると共に、その輪郭線２２に合わせて左足を乗せ掛けたときに左の足裏の複数箇所に存在しているつぼに突き当たる多数の突起２３が備わっている。また、左側指圧板１及び右側指圧板２の平面視形状は対称形状になっている。また、図３に示したように、左右の各指圧板１，２の裏面には適度の柔軟性を有するクッション材１４，２４が備わっている。
【００１６】
連結機構３は、左側指圧板１の内側端縁部１５、具体的には、内側端縁部１５のうちの、左足の形状を象った輪郭線１２の土踏まず部分の側方箇所に一体に連設された第１係合部材３１と、右側指圧板２の内側端縁部２５、具体的には、内側端縁部２５のうちの、右足の形状を象った輪郭線２２の土踏まず部分の側方箇所に一体に連設された第２係合部材３６とを備えている。
【００１７】
図１と図２とを併せ見ることによって判るように、第１係合部材３１は左側指圧板１の内側端縁部１５から突き出す姿勢でその左側指圧板１に一体に連設されている。また、この第１係合部材３１は、互いに間隔を隔てて対向しかつ接近離反方向に弾性変形可能な上板部３２と下板部３３とを有していて、上板部３２に円形の軸受孔部３４が具備されている。これに対し、第２係合部材３６は右側指圧板２の内側端縁部２５から突き出す姿勢でその右側指圧板２に一体に連設されている。また、この第２係合部材３６は、円形の鍔板部３７とその鍔板部３７の中央部から突出された円形の凸部３８とを有している。そして、第１係合部材３１の上板部３２と下板部３３との間に分け入らせて差し込まれた第２係合部材３６の凸部３８が第１係合部材３１の軸受孔部３４に摺動回転自在に嵌合されていると共に、第１係合部材３１の上板部３２と下板部３３とが第２係合部材３６の鍔部３７を上下方向で相対摺動自在に挟み付けている。このため、連結機構３の第１係合部材３１と第２係合部材３２とを連結した場合に、左側指圧板１と右側指圧板２とががたつかない。
【００１８】
この実施形態の足裏指圧具Ａにおいて、連結機構３の第１係合部材３１は左足指圧板１と一体に合成樹脂で成形されており、また、第２係合部材３６は右足指圧板２と一体に合成樹脂で成形されている。
【００１９】
この実施形態の足裏指圧具Ａにおいて、連結機構３を介して左足指圧板１と右足指圧板２とを連結すると、図１のように、左足指圧板１の内側端縁部１５と右足指圧板２の内側端縁部２５とは、少なくとも連結機構３の前側又は後側で間隔を隔てて対向した状態になる。そのため、左足指圧板１や右足指圧板２を手で持って連結機構３の第１係合部材３１と第２係合部材３６とを相対回転させることにより、左足指圧板１と右足指圧板２との開き角度を、それらの内側端縁部１５，２５同士が当たらない範囲で増減調節することが可能である。したがって、使用者自身が左足と右足とを楽な開き度合となるように開いたときの開き角度に左側指圧板１と右側指圧板２との開き角度を合わせて、左側指圧板１に左の足裏を乗せ掛け、右側指圧板２に右の足裏を乗せ掛けると、使用者にとっての楽な姿勢で足裏を同時に効果的に刺激することができる。また、上記のように、第１係合部材３１の上板部３２と下板部３３とが第２係合部材３６の鍔部３７を上下方向で相対摺動自在に挟み付けているため、左側指圧板１と右側指圧板２とが連結機構３によりがたつかない状態で連結されているので、左右の指圧板１，２の開き角度を、使用者にとって楽な姿勢となる左右の足の開き角度にスムーズに合わせることも可能になる。
【００２０】
この実施形態において、連結機構３は、その第１係合部材３１が接近離反方向に弾性変形可能な上板部３２と下板部３３とによって形成されている。そのため、図１のように第１係合部材３１と第２係合部材３６とを連結した状態から、第２係合部材３６を傾斜させて第１係合部材３１の上板部３２と下板部３３との間隔をこじ拡げるという操作を行うことにより、突起３８を軸受孔部３４から抜き出して第２係合部材３６を第１係合部材３１の上板部３２と下板部３３との隙間から容易に引き抜き、これによって左側指圧板１と右側指圧板２とを分離することができる。こうして左側指圧板１と右側指圧板２とを分離すると、左側指圧板１をそれ単独で左の足裏を刺激することに用いることが可能になり、右側指圧板２をそれ単独で右の足裏を刺激することに用いることが可能になる。また、左側指圧板１と右側指圧板２とを分離すると、たとえば図３のように、左側指圧板１と右側指圧板２との裏面側同士を重ね合わせてコンパクトな形にすることが可能である。この形では、全体の大きさが左側指圧板１又は右側指圧板２の大きさになるので、持ち運びに便利であり、梱包する場合には梱包４がコンパクトになる。そのため、コンパクトな形で保管することも可能である。
【００２１】
この実施形態では、軸受孔部３４を有する第１係合部材３１が左側指圧板１に一体に連設され、凸部３８を有する第２係合部材３６が右側指圧板２に一体に連設されているけれども、この点は、軸受孔部を有する第１係合部材を右側指圧板に一体に連設し、凸部を有する第２係合部材を左側指圧板に一体に連設しておいてもよい。
【００２２】
また、第２係合部材３６は鍔板部３７の片面側だけに凸部３６を有し、その凸部３６が、第１係合部材３１の上板部３２の軸受孔部３４に回転自在に嵌合させている事例を説明したけれども、この点は、鍔板部の他面側だけに設けた凸部を、第１係合部材の下板部に形成した軸受孔部に回転自在に嵌合させる構成にすることも、あるいは、鍔板部の片面側と他面側との両方に設けた凸部を、第１係合部材の上板部と下板部との両方に形成した軸受孔部に各別に回転自在に嵌合させる構成にすることも可能である。
【００２３】
【発明の効果】
本発明によれば、左足指圧板と右足指圧板との開き角度を、使用者にとっての楽な姿勢となる左右の足の開き角度に合わせることが可能であるため、誰でもが楽な姿勢で左右の足裏を効果的に同時に刺激するという使い方をすることが可能になる。また、左足指圧板と右足指圧板とを連結機構で連結しておけば、左右の足裏を同時に刺激することができ、また、連結機構の作用で左足指圧板と右足指圧板とを分離すれば、左足指圧板を単独で使用して左の足裏を刺激したり、右足指圧板を単独で使用して右の足裏を刺激したりすることも可能である。さらに、連結機構の作用で左足指圧板と右足指圧板とを分離することができるので、コンパクトな形にして持ち運びや保管をすることが可能になる。
【図面の簡単な説明】
【図１】  本発明の実施形態に係る足裏指圧具の概略平面図である。
【図２】  図１のＩＩ−ＩＩ線に沿う部分の概略拡大断面図である。
【図３】  左右の指圧板を重ね合わせた状態の概略側面図である。
【符号の説明】
Ａ  足裏指圧具
１  左側指圧板
２  右側指圧板
３  連結機構
１５，２５  内側端縁部
３１  第１係合部材
３２  上板部
３３  下板部
３４  軸受孔部
３６  第２係合部材
３７  鍔板部
３８  凸部
【図１】
0003746228.tif 000002
【図２】
0003746228.tif 000003
【図３】
0003746228.tif 000004